(57)【要約】【課題】少ない部品点数でサーミスタの抜けを防止すること。【解決手段】電線１３が挿入されるとともに当該電線１３の温度を検知するサーミスタ１４が収容される電源端子用係止スリーブ１７Ａと、電源端子用係止スリーブ１７Ａに取り付けられてサーミスタ１４を抜け止めする抜け止め部１８と、電源端子用係止スリーブ１７Ａと抜け止め部１８とを接続しており、抜け止め部１８が電源端子用係止スリーブ１７Ａに取り付けられる際に湾曲する接続部１９と、を備え、電源端子用係止スリーブ１７Ａ、抜け止め部１８、及び、接続部１９が樹脂によって一体成形された充電インレット１。【選択図】図４
2017220346.tif 000002
【特許請求の範囲】
【請求項１】
電線が挿入されるとともに当該電線の温度を検知するサーミスタが収容される筒部と、
前記筒部に取り付けられて前記サーミスタを抜け止めする抜け止め部と、
前記筒部と前記抜け止め部とを接続しており、前記抜け止め部が前記筒部に取り付けられる際に湾曲する接続部と、
を備え、
前記筒部、前記抜け止め部、及び、前記接続部が樹脂によって一体成形されたコネクタ。
【請求項２】
前記抜け止め部は前記電線と前記サーミスタのリード線とが挿通される挿通穴を有し、前記挿通穴に前記電線と前記リード線とが挿通されている状態で前記筒部に取り付けられる、請求項１に記載のコネクタ。
【請求項３】
前記抜け止め部が前記筒部に取り付けられている状態で前記抜け止め部と前記筒部とをロックするロック部を備える、請求項１又は請求項２に記載のコネクタ。
【発明の詳細な説明】
【技術分野】
【０００１】
本明細書で開示する技術は、コネクタに関する。
【背景技術】
【０００２】
従来、温度を検知するサーミスタを備えるコネクタが知られている（例えば、特許文献１参照）。具体的には、特許文献１に記載のコンセント（コネクタに相当）は金属接続端子と、温度検知素子としてのサーミスタと、金属接続端子とサーミスタとに接着されている絶縁性熱伝導材とを備えており、金属接続端子にて発生する熱が絶縁性熱伝導材を介してサーミスタに伝達されるものである。
【０００３】
また、従来、温度を検知するサーミスタを備えるコネクタにおいて、電線が挿入される筒部を有し、その筒部にサーミスタを収容することによって電線の温度を検知することも行われている。
【先行技術文献】
【特許文献】
【０００４】
【特許文献１】特開２００２−３５２６３５号公報
【発明の概要】
【発明が解決しようとする課題】
【０００５】
ところで、筒部にサーミスタを収容して電線の温度を検知する場合、サーミスタに接続されているリード線が引っ張られてサーミスタが筒部から抜けてしまう虞があった。このため、従来は別部品であるサーミスタホルダを筒部に取り付けることによってサーミスタの抜けを防止していた。しかしながら、サーミスタホルダを用いると部品点数が増加してしまい、それによりコネクタの製造コストが上昇してしまうという問題があった。
【０００６】
本明細書では、少ない部品点数でサーミスタの抜けを防止する技術を開示する。
【課題を解決するための手段】
【０００７】
本明細書で開示するコネクタは、電線が挿入されるとともに当該電線の温度を検知するサーミスタが収容される筒部と、前記筒部に取り付けられて前記サーミスタを抜け止めする抜け止め部と、前記筒部と前記抜け止め部とを接続しており、前記抜け止め部が前記筒部に取り付けられる際に湾曲する接続部と、を備え、前記筒部、前記抜け止め部、及び、前記接続部が樹脂によって一体成形されている。
【０００８】
上記のコネクタによると、接続部を湾曲させて抜け止め部を筒部に取り付けることにより、サーミスタの抜けを防止することができる。そして、上記のコネクタによると、筒部、抜け止め部、及び、接続部が樹脂によって一体成形されているので、別部品であるサーミスタホルダを用いてサーミスタの抜けを防止する場合に比べて部品点数を少なくすることができる。よって上記のコネクタによると、少ない部品点数でサーミスタの抜けを防止することができる。これによりコネクタの製造コストを低減することができる。
【０００９】
また、前記抜け止め部は前記電線と前記サーミスタのリード線とが挿通される挿通穴を有し、前記挿通穴に前記電線と前記リード線とが挿通されている状態で前記筒部に取り付けられてもよい。
【００１０】
上記のコネクタによると、筒部から電線とリード線とを引き出しつつサーミスタの抜けを防止することができる。
【００１１】
また、前記抜け止め部が前記筒部に取り付けられている状態で前記抜け止め部と前記筒部とをロックするロック部を備えてもよい。
【００１２】
上記のコネクタによると、筒部に取り付けられた抜け止め部が外れてしまうことを抑制できる。
【発明の効果】
【００１３】
本明細書で開示する技術によれば、少ない部品点数でサーミスタの抜けを防止することができる。
【図面の簡単な説明】
【００１４】
【図１】実施形態に係るコネクタを前側から見た正面図
【図２】コネクタを左側から見た側面図
【図３】図１に示すＡ−Ａ線の断面図
【図４】取り付ける前のリテーナを後側から見た正面図
【図５】取り付ける前のリテーナを左側から見た側面図
【図６】取り付けられたリテーナを後側から見た正面図
【発明を実施するための形態】
【００１５】
＜実施形態＞
実施形態を図１ないし図６に基づいて説明する。以降の説明において上下方向及び前後方向とは図２に示す上下方向及び前後方向を基準とする。また、左右方向とは図２において紙面に垂直な方向を基準とし、紙面手前側を左側、紙面奥前側を右側とする。
【００１６】
（１）充電インレットの構成
先ず、図１を参照して、本実施形態に係るコネクタとしての充電インレット１の概略について説明する。充電インレット１は電気自動車やハイブリッド自動車などに搭載されている蓄電装置を充電する充電ガン(図示せず)が接続されるものであり、充電中に異常発熱した場合に充電を中止できるようにするために電線の温度を検知するサーミスタを備えている。
【００１７】
図１〜図３に示すように、充電インレット１は合成樹脂製のハウジング１０（図１参照）、ハウジング１０に後側から取り付けられている合成樹脂製のリテーナ１１（図２及び図３参照）、陽極用雌端子１２（図３参照）、陰極用雌端子（図示せず）、陽極用雌端子１２に接続されている電線１３（図３参照）、陰極用雌端子に接続されている電線（図示せず）、サーミスタ１４（図３参照）、サーミスタ１４に接続されているリード線１５（図３参照）などを備えている。
【００１８】
図３に示すように、ハウジング１０は前側フード部１０Ａ、前側フード部１０Ａの外周面から張り出しているフランジ部１０Ｂ、及び、後側フード部１０Ｃを備えている。
前側フード部１０Ａは充電ガンが嵌合挿入されるものであり、前側に向かって開口する有底筒状に形成されている。
フランジ部１０Ｂは充電インレット１をボルトによって車体に固定するためのものであり、四隅にボルト挿通穴１０Ｆ（図１参照）が設けられている。
【００１９】
図２及び図３に示すように、後側フード部１０Ｃはリテーナ１１が取り付けられるものである。後側フード部１０Ｃも円筒状に形成されているが、後側フード部１０Ｃの中心軸線は前側フード部１０Ａの中心軸線に対して下にずれている。このため、図３に示すように、後側フード部１０Ｃは周方向の一部が前側フード部１０Ａの底壁１０Ｄから後側に立ち上がっている一方、周方向の残りの部分がフランジ部１０Ｂから後側に立ち上がっており、前側フード部１０Ａの底壁１０Ｄと後側フード部１０Ｃとを後側から見ると２つの円がずれて重なっているように見える。
また、図２に示すように、後側フード部１０Ｃの外周面にはリテーナ１１を取り付けるための４つの係止部１０Ｅが周方向に等間隔に設けられている。
【００２０】
図１及び図３に示すように、前側フード部１０Ａの底壁１０Ｄからは前側に向かって２つの円筒状の電源端子収容部１６（１６Ａ、１６Ｂ）が立ち上がっている。図３に示すように、一方の電源端子収容部１６Ａには陽極用雌端子１２が後側から挿入されている。また、図３では見えていないが、他方の電源端子収容部１６Ｂには陰極用雌端子(図示せず)が後側から挿入されている。
【００２１】
図３に示すように、陽極用雌端子１２は大まかには円柱状に形成されており、外周面から環状に張り出すフランジ部１２Ａを有している。上述したように陽極用雌端子１２は電源端子収容部１６に後側から挿入されており、フランジ部１２Ａが底壁１０Ｄに当接することによってそれ以上の前方向への移動が規制されている。
【００２２】
陽極用雌端子１２においてフランジ部１２Ａより前側の部分には充電ガンの雄端子が前側から挿入される挿入穴１２Ｂが設けられている。また、陽極用雌端子１２においてフランジ部１２Ａより後側の部分は前側の部分に比べて外径が小さくなっており、後端部に電線１３の芯線が接続されている。
他方の電源端子収容部１６Ｂの形状、及び、陰極用雌端子の形状は一方の電源端子収容部１６Ａの形状、及び、陽極用雌端子１２の形状と実質的に同じである。
【００２３】
図２及び図３に示すように、リテーナ１１は後側フード部１０Ｃに後側から取り付けられて陽極用雌端子１２、及び、陰極用雌端子を抜け止めするものである。
図３〜図５に示すように、リテーナ１１は円形の板状に形成されている基板１１Ａ（図４参照）、基板１１Ａの外周縁部から前側に立ち上がっている外側壁部１１Ｂ（図３及び図５参照）、外側壁部１１Ｂと同心の内側壁部１１Ｃ（図３参照）、外側壁部１１Ｂから前側に延びている４つのロック片１１Ｄ（図４及び図５参照）、２つの電源端子用係止スリーブ１７（１７Ａ、１７Ｂ）（図３及び図４参照）、サーミスタ１４を抜け止めする抜け止め部１８（図３及び図４参照）、抜け止め部１８と電源端子用係止スリーブ１７の外周面とを接続している接続部１９（図３及び図４参照）などを備えており、これらが樹脂によって一体成形されている。電源端子用係止スリーブ１７Ａは筒部の一例である。
【００２４】
図３に示すように、リテーナ１１はハウジング１０の後側フード部１０Ｃの後端部が外側壁部１１Ｂと内側壁部１１Ｃとの間に入り込むようにしてハウジング１０に取り付けられる。図２に示すように、リテーナ１１がハウジング１０に取り付けられると４つのロック片１１Ｄが弾性変形して後側フード部１０Ｃの係止部１０Ｅにそれぞれ係止されることにより、リテーナ１１がハウジング１０から外れてしまうことが防止されている。
【００２５】
図３に示すように、電源端子用係止スリーブ１７Ａは大まかには円筒状に形成されている。電源端子用係止スリーブ１７Ａは基板１１Ａを板厚方向に貫通する形態で基板１１Ａに一体成形されており、基板１１Ａより後側の部分の外径が基板１１Ａより前側の部分の外径より小さくなっている。
【００２６】
電源端子用係止スリーブ１７Ａには陽極用雌端子１２の後側の部分が前側から挿入されており、電源端子用係止スリーブ１７Ａの前側を向く端面が陽極用雌端子１２のフランジ部１２Ａに後側から環状に当接している。これにより陽極用雌端子１２が抜け止めされている。そして、陽極用雌端子１２の後端部に接続されている電線１３が電源端子用係止スリーブ１７Ａから後側に引き出されている。
他方の電源端子用係止スリーブ１７Ｂも陰極用雌端子が挿入される点を除いて一方の電源端子用係止スリーブ１７Ａと同様である。
【００２７】
図３に示すように、一方の電源端子用係止スリーブ１７Ａには陽極用雌端子１２に接続されている電線１３の温度を検知するサーミスタ１４が収容されている。サーミスタ１４は電線１３によって電源端子用係止スリーブ１７Ａの内壁面に押し付けられており、電線１３に密着している。サーミスタ１４には検知した温度を出力するリード線１５が接続されており、そのリード線１５が電源端子用係止スリーブ１７Ａから後側に引き出されている。
【００２８】
図２及び図３に示すように、電源端子用係止スリーブ１７の後端部にはサーミスタ１４を抜け止めする抜け止め部１８が取り付けられている。抜け止め部１８は電源端子用係止スリーブ１７Ａの外周面から延びる接続部１９を介して電源端子用係止スリーブ１７Ａに接続されており、接続部１９が湾曲した状態で電源端子用係止スリーブ１７Ａに取り付けられている。
【００２９】
図４及び図５を参照して、電源端子用係止スリーブ１７Ａに取り付けられる前の抜け止め部１８及び接続部１９について説明する。抜け止め部１８は円板状に形成されており、中心部に電線１３とリード線１５とが挿通される挿通穴１８Ａが形成されている。また、抜け止め部１８の左側の縁部には後側に向かって延びるＵ字状のロック部１８Ｂが一体に形成されている。一方、図５に示すように、電源端子用係止スリーブ１７Ａの外周面にはロック部１８Ｂが係止される係止突起２０が設けられている。
【００３０】
図４に示すように、接続部１９は電源端子用係止スリーブ１７Ａの前側端部の上面から上に向かって長板状に延びている。接続部１９は湾曲し易くするために上下方向の両端部に比べて中間部の幅が狭くなっている。また、図５に示すように、接続部１９は湾曲し易くするために前後方向の厚みが抜け止め部１８の厚みより薄くなっている。
【００３１】
（２）抜け止め部の取り付け
本実施形態ではリテーナ１１がハウジング１０に取り付けられた後に抜け止め部１８が電源端子用係止スリーブ１７Ａに取り付けられるものとする。抜け止め部１８の取り付けでは、先ず、電源端子用係止スリーブ１７Ａから後側に引き出されている電線１３とリード線１５とが抜け止め部１８の後側を向いている面（図４において紙面手前側を向いている面）側から挿通穴１８Ａに挿入される。
【００３２】
そして、挿通穴１８Ａに電線１３とリード線１５とを通しながら接続部１９が後側にＵ字状に折り返されるように湾曲することにより、図２、図３及び図６に示すように、抜け止め部１８の上述した後側を向いている面が電源端子用係止スリーブ１７Ａの後端面に対面する。そして、図２に示すように、その状態でロック部１８Ｂが係止突起２０に係止されることにより、抜け止め部１８が電源端子用係止スリーブ１７Ａに取り付けられている状態で抜け止め部１８と電源端子用係止スリーブ１７Ａとがロックされる。
【００３３】
ここで、図３に示すように、挿通穴１８Ａの内径は電線１３の外径とリード線１５の厚みとを合計した値より大きい。このため挿通穴１８Ａは電線１３とリード線１５とが挿通されても完全には塞がれずに隙間が生じる。しかしながら、サーミスタ１４にはその隙間を通過できない程度の厚み（あるいは幅）があり、リード線１５が後側に引っ張られても抜け止め部１８に当接することによって抜けが防止される。
【００３４】
（３）実施形態の効果
以上説明した本実施形態に係る充電インレット１によると、接続部１９を湾曲させて抜け止め部１８を電源端子用係止スリーブ１７Ａに取り付けることにより、サーミスタ１４の抜けを防止することができる。そして、充電インレット１によると、電源端子用係止スリーブ１７Ａ、抜け止め部１８、及び、接続部１９が樹脂によって一体成形されているので、別部品であるサーミスタホルダを用いてサーミスタ１４の抜けを防止する場合に比べて部品点数を少なくすることができる。よって充電インレット１によると、少ない部品点数でサーミスタ１４の抜けを防止することができる。これにより充電インレット１の製造コストを低減することができる。
【００３５】
更に、充電インレット１によると、抜け止め部１８は電線１３とサーミスタ１４のリード線１５とが挿通される挿通穴１８Ａを有しており、挿通穴１８Ａに電線１３とリード線１５とが挿通されている状態で電源端子用係止スリーブ１７Ａに取り付けられるので、電源端子用係止スリーブ１７Ａから電線１３とリード線１５とを引き出しつつサーミスタ１４の抜けを防止することができる。
【００３６】
更に、充電インレット１によると、抜け止め部１８が電源端子用係止スリーブ１７Ａに取り付けられている状態で抜け止め部１８と電源端子用係止スリーブ１７Ａとがロック部１８Ｂによってロックされるので、電源端子用係止スリーブ１７に取り付けられた抜け止め部１８が外れてしまうことを抑制できる。
【００３７】
＜他の実施形態＞
本明細書によって開示される技術は上記記述及び図面によって説明した実施形態に限定されるものではなく、例えば次のような実施形態も本明細書によって開示される技術的範囲に含まれる。
【００３８】
（１）上記実施形態では他方の電源端子用係止スリーブ１７Ｂにはサーミスタ１４が収容されない場合を例に説明した。これに対し、他方の電源端子用係止スリーブ１７Ｂにもサーミスタ１４を収容し、電源端子用係止スリーブ１７Ａと同様に抜け止め部１８及び接続部１９を設けてもよい。
【００３９】
（２）上記実施形態では抜け止め部１８として挿通穴１８Ａを有する円板状の抜け止め部１８を例に説明した。しかしながら、抜け止め部１８はサーミスタ１４の抜けを防止できる形状であれば任意の形状であってよい。
【００４０】
（３）上記実施形態では抜け止め部１８にロック部１８Ｂが設けられている場合を例に説明したが、ロック部１８Ｂは必ずしも設けられていなくてもよい。また、上記実施形態では抜け止め部１８の片側にロック部１８Ｂが一つだけ設けられている場合を例に説明したが、ロック部１８Ｂは抜け止め部１８の両側に設けられてもよい。
【００４１】
（４）上記実施形態では充電インレット１がハウジング１０とリテーナ１１とを備えており、リテーナ１１に筒部（すなわち電源端子用係止スリーブ１７Ａ）が設けられている場合を例に説明した。これに対し、リテーナ１１を備えず、ハウジング１０に筒部が設けられていてもよい。
【００４２】
（５）上記実施形態ではコネクタとして充電インレット１を例に説明したが、コネクタは充電インレット１以外であってもよい。
【符号の説明】
【００４３】
１…充電インレット（コネクタの一例）、１３…電線、１４…サーミスタ、１５…リード線、１７Ａ…電源端子用係止スリーブ（筒部の一例）、１８…抜け止め部、１８Ａ…挿通穴、１８Ｂ…ロック部、１９…接続部
【図１】
2017220346.tif 000003
【図２】
2017220346.tif 000004
【図３】
2017220346.tif 000005
【図４】
2017220346.tif 000006
【図５】
2017220346.tif 000007
【図６】
2017220346.tif 000008